(57)【特許請求の範囲】
【請求項１】
気体が通過できるフィルター部と、
該フィルター部に担持された、光合成反応により水素を生成する光合成菌及びミネラル成分と、
該光合成菌に光を照射する光照射手段と、を有し、
前記ミネラル成分は水酸化マグネシウム、酸化マグネシウム、水酸化鉄、酸化第一鉄、酸化第二鉄及び／又は四酸化三鉄であることを特徴とする空気浄化装置。
【請求項２】
気体が通過できるフィルター部と、
該フィルター部に担持された、光合成反応により水素を生成する光合成菌及びミネラル成分と、
該光合成菌に光を照射する光照射手段と、を有し、
前記ミネラル成分はマグネシウム化合物及び／又は鉄化合物であり、
前記フィルター部は、コルゲート加工された紙状部材を複数積層した部材であり、
前記光照射手段は該フィルター部の内部に配設されていることを特徴とする空気浄化装置。
【請求項３】
気体が通過できるフィルター部と、
該フィルター部に担持された、光合成反応により水素を生成する光合成菌及びミネラル成分と、
該光合成菌に光を照射する光照射手段と、を有し、
前記ミネラル成分はマグネシウム化合物及び／又は鉄化合物であり、
更に、前記フィルター部を通過する気体を加湿する加湿手段を有することを特徴とする空気浄化装置。
【請求項４】
前記ミネラル成分は水酸化マグネシウム、酸化マグネシウム、水酸化鉄、酸化第一鉄、酸化第二鉄及び／又は四酸化三鉄である請求項２又は３に記載の空気浄化装置。
【請求項５】
前記光合成菌は紅色非硫黄細菌である請求項１〜４の何れか１項に記載の空気浄化装置。
【請求項６】
前記光照射手段はＬＥＤである請求項１〜５のいずれかに記載の空気浄化装置。
【発明の詳細な説明】
【技術分野】
【０００１】
本発明は、部屋中に滞留などしている二酸化炭素などを好適に除去できる空気浄化装置に関する。
【背景技術】
【０００２】
近年、住宅などにおける居室の密閉性が向上した結果、居室内の空気組成がぶれやすくなっている。例えば、居住者の呼吸によって、二酸化炭素が増加することが問題になる。
【０００３】
この問題を解決する目的で、居室における換気回数の強化を義務づけることが行われている。ここで、エアコンや空気清浄機など、居室中の空気環境を整える製品が従来から提供されており、これら製品によって、換気による効果に加えて、空気環境を改善することが求められている。また、居室内にて発生した生活臭などを除去するために脱臭剤、消臭剤、芳香剤などが多数、販売されている。
【０００４】
また、従来技術として光合成を行う「光合成細菌」を用いて二酸化炭素や揮発性有機物を除去する装置が提案されている（特許文献１）。
【特許文献１】特開平１１−２０７１２２号公報
【発明の開示】
【発明が解決しようとする課題】
【０００５】
しかしながら、特許文献１に記載の装置では光合成細菌を生育させるために大量の水分を用いているので取り扱いが困難であった。
【０００６】
そこで、本発明では二酸化炭素についても換気に頼らず、光合成反応を用いて空気中から直接的に除去することが可能になる空気浄化装置を提供することを解決すべき課題とする。
【課題を解決するための手段及び効果】
【０００７】
上記課題を解決する目的で本発明者らは鋭意研究を行った結果、以下の発明を完成した。すなわち、本発明の空気浄化装置は、気体が通過できるフィルター部と、該フィルター部に担持された、光合成反応により水素を生成する光合成菌及びミネラル成分と、該光合成菌に光を照射する光照射手段と、を有することを特徴とする。
【０００８】
つまり、周知のように、空気中の二酸化炭素は光合成により代謝されるので、効果的に除去することが可能になる。光合成菌は一般的な空気中の二酸化炭素濃度程度で効果的に二酸化炭素濃度を除去することが可能になり、居室中などに滞留する二酸化炭素を効果的に除去することが可能になる。これらの事項は特許文献１に開示されているように周知であるが、特許文献１に記載の装置に用いられた光合成反応を行う細菌は藍藻などの光合成反応により酸素を生成する種類であり、単純に空気浄化装置における空気流路中に配置しても生存していくことが困難であり、現実的な二酸化炭素除去効果を継続的に発揮することができなかった。本発明者らは光合成反応により水素を生成する光合成菌を採用した上でミネラル成分を添加することで、空気流路中に光合成菌を配置しても実用上、問題が生じない程度の期間にわたって、二酸化炭素除去効果を発揮し続けることが可能になることを発見し、本発明を完成した。光合成反応により水素を生成する光合成菌は特許文献１に記載された細菌とは光合成反応を行う点では類似しているものの大きく異なるものであり、ミネラル成分の存在により空気浄化装置のフィルター内で長期間にわたり生存できるものである。
【０００９】
また、光合成菌はフィルターに担持した状態で二酸化炭素だけではなく、悪臭成分や有害成分（生活臭や生ごみの臭いなどの一般的な揮発性有機物（例えば、アルデヒド、芳香族化合物、脂肪酸など）、含硫黄化合物（硫化水素やメチルメルカプタンなど）、含窒素化合物（いわゆるＮＯｘやアンモニアなど））についても浄化できることを発見した。従って、本発明の空気浄化装置は二酸化炭素を除去する効果ばかりではなく、条件を整えれば、他の悪臭成分、有害成分についても除去できる作用効果を発揮する。
【００１０】
ここで、光合成菌とは「紅色硫黄細菌、緑色硫黄細菌、紅色非硫黄細菌、緑色非硫黄細菌、滑走性糸状緑色硫黄細菌、ヘリオバクテリア」に属するいずれかの細菌を意味し、光合成反応により水素を生成する種類である。これらの光合成菌は、高等植物とは異なり酸素を生成しない種類である。なお、本明細書において「光合成菌」とは光合成を行うことができる細菌との意味で用いている。
【００１１】
特に、前記光合成菌としては紅色非硫黄細菌を採用することが望ましい。なお、光合成菌としては光合成反応により水素を生成する種類を含むことは必須であるが、水素を生成しない（酸素を生成する）種類の光合成菌の含有を排除するものではなく、更には酸素を生成する種類の光合成菌を含有することは望ましい。
【００１２】
そして、前記ミネラル成分としてはマグネシウム化合物又は鉄化合物を採用することが望ましい。特にマグネシウム化合物を添加すると二酸化炭素浄化効果が向上し、鉄化合物を添加すると硫化水素やメチルメルカプタンなどの含硫黄化合物の浄化効果が向上する。前記マグネシウム化合物は水酸化マグネシウム及び／又は酸化マグネシウムを採用することが望ましい。水酸化マグネシウム及び／又は酸化マグネシウムは、取り扱いが容易であり、コストも低いことから望ましい化合物である。鉄化合物としては水酸化鉄、酸化第一鉄、酸化第二鉄及び／又は四酸化三鉄を採用することが望ましい。特に一価の鉄を含む化合物が望ましい。また、前記光照射手段はＬＥＤであることが望ましい。ＬＥＤは、必要な波長の光線を高い選択性をもって発生することが可能であり、消費電力が低く、余分な発熱なども抑制できる。
【００１３】
また、前記フィルター部は、コルゲート加工された紙状部材を複数積層した部材であり、前記光照射手段は該フィルター部の内部に配設されていることが望ましい。紙などの紙状部材は比表面積が大きく、光合成菌などを大量に担持することが可能になるなどの利点がある。
【００１４】
更に、前記フィルター部を通過する気体を加湿する加湿手段を有することが望ましい。光合成に必要な水分は空気中から得ることは可能であるが、冬期などのように湿度が低い場合に不足なく水分を供給することができることが望ましいからである。
【発明を実施するための最良の形態】
【００１５】
本発明の空気浄化装置について、以下実施形態に基づき詳細に説明を行う。本発明の空気浄化装置は、空気清浄機や、エアコンに付随する空気浄化装置などに好適に用いることができる。特に、空気中の二酸化炭素を除去する目的で用いることができ、更には悪臭成分や有害成分などを除去することも可能である。
【００１６】
例えば、住居、オフィス、病院などの建造物用のエアコン等に用いるほか、自動車、電車、飛行機などの乗物用のエアコン等にも用いることができる。また、壁紙やカーテンなどにも採用できる。壁紙やカーテンは比表面積が大きく空気と接触しやすい上に、外部からの光を効率的に受けることも容易である。更に、工場やゴミ処理場などからの排出ガスを処理する装置としても採用できる。
【００１７】
本実施形態の空気浄化装置はフィルター部とそのフィルター部上に担持された光合成菌及びミネラル成分と光照射手段とを有する。
【００１８】
フィルター部は光合成菌の生育環境になる部分を兼ねている。従って、有る程度の水分など光合成菌の生育に必要な物質を保持することができるような部材であることが望ましい。更に、効果的に空気中の二酸化炭素などを除去するためには空気との接触面積に関係する比表面積を大きくするとともに、圧損が小さいことが望ましい。そして、空気流路を複雑な形状にしたり、遮蔽板（多数の孔が形成された板など；フィルター部としてハニカムなどの多数の流路が形成された部材を採用した場合に、その流路の形状と一致しない配置にて孔を形成することで乱流を発生させることができる）を設けたりすることで、通過する空気の流れを適度に邪魔して乱流を発生させて空気を撹拌することでフィルター部の表面に空気を効率的に接触させることができる。例えば、比表面積が大きい薄膜状の部材を採用して、その薄膜状部材をコルゲート加工して積層したり、ハニカム状に加工したりすることで、比表面積が大きいフィルター部を得ることができる。薄膜状部材としては紙などの紙状部材が望ましい。ここで、紙状部材とは繊維を薄く平面状に成形した集合体である。繊維の集合体を採用することで比表面積が大きくなり、空気との接触面積を大きくできる。また、繊維としては一般的な紙の構成材料であるセルロース繊維などの天然繊維を採用することができる。天然繊維としては植物、動物由来を問わない。更には、合成繊維を採用することもできる。また、空気との接触はフィルター内部を空気が通過するような形態により実現するほか、比表面積が大きい形態（例えば布状など）にした上で、その表面に空気が接触できるようなものでも実現できる。
【００１９】
また、フィルター部としては繊維を薄膜状に成形した紙状部材から構成するほか、繊維をそのまま、織布、更には不織布として成形した部材を採用することもできる。そして、繊維から構成する以外にも、ハニカム状などに成形した金属板、セラミクスなどの表面に比表面積が大きい材料（粉末、特に多孔質の粉末など）を付着させて形成することもできる。
【００２０】
光合成菌は光の照射により、雰囲気中の二酸化炭素を除去する菌であり、光合成反応により水素を生成する種類を含むことが必須である。ここで、光合成菌であって、光合成反応により水素を生成するものは一般的に光合成反応により酸素を生成することはない。反対に、光合成菌であって、光合成反応により酸素を生成するものは一般的に光合成反応により水素を生成することはない。
【００２１】
光合成反応により水素を生成する光合成菌には種々の種類があるが、大まかには紅色硫黄細菌、緑色硫黄細菌、紅色非硫黄細菌、緑色非硫黄細菌、滑走性糸状緑色硫黄細菌、ヘリオバクテリアが挙げられる。更に、酸素を生成する種類の光合成菌を含有することも可能であり、望ましい。酸素を生成する種類の光合成菌は水素を生成する光合成菌と併用することで長期間高い効果を発揮することが可能になる。
【００２２】
特に紅色細菌が望ましい。紅色細菌の中でも、生育環境中に硫黄元素が必須でない紅色非硫黄細菌を採用することが望ましい。好ましい光合成菌としては特に限定しないが、ロードシュードモナス、ロドバクターなどが挙げられる。
【００２３】
光合成菌と併用するミネラル成分としては特に限定しないが、光合成菌に悪影響を与えないような化合物、例えば、マグネシウム化合物及び／又は鉄化合物を採用することができる。特に、マグネシウム化合物（酸化マグネシウムなど）を採用することが望ましい。
【００２４】
更に、光合成菌の生育や光合成反応を促進する物質を含有させることができる。例えば、糖、アルコール、アミノ酸などである。
【００２５】
光合成菌及びミネラル成分をフィルター部に担持させる方法としては特に限定しない。たとえば、光合成菌及びミネラル成分を混合して又はそれぞれ独立して適正な溶媒（水など）に溶解乃至懸濁させた液をフィルター部に含浸させることで製造できる。また、光合成菌及びミネラル成分のそれぞれの担持量は特に限定しない。例えば、ミネラル成分として酸化マグネシウムを採用する場合に、質量基準で、光合成菌：酸化マグネシウム＝１００：１〜１００：１００程度とすることができ、特に、１００：１０〜１００：３０程度とすることが望ましい。
【００２６】
光合成菌については生物であるので、担持する工程や、その後の工程により、死滅しないような条件を選択する。例えば、マグネシウム化合物などのミネラル成分を担持する工程が穏やかでない場合にはミネラル成分を担持した後に光合成菌を担持することが望ましい。
【００２７】
また、マグネシウム化合物などのミネラル成分はそのまま担持させる場合のほか、取り扱いを容易にするためなどの理由によって前駆体として担持することもできる。例えば、ミネラル成分として水酸化マグネシウム及び／又は酸化マグネシウムを採用する場合に、水酸化マグネシウムとしてフィルター部に担持させた後、加熱など行うことで酸化マグネシウム（全部又は一部含有する）に変化させることもできる。
【００２８】
光照射手段は光合成菌が利用できる波長を含む光を照射すること以外は特に限定しない。例えば、ＬＥＤ、冷極管、蛍光灯、ＥＬ素子、電球などである。また、自身が発光する部材の他、外部光（例えば太陽光）をフィルター部にまで導入する鏡や光ファイバなどの部材を採用することもできる。特に、ＬＥＤは特定の波長の光を発生することが容易であると共に消費電力が少ないので望ましい。光照射手段としてはフィルター部の内部にまで光を照射できる手段が望ましい。また、フィルター自身が布状、網状などの外部から光が照射されやすい形態をとる場合にはそのことをもって光照射手段に代えることができる。
【００２９】
また、上述した構成の他、必要に応じたその他の手段を有することができる。例えば、空気をフィルター部に通過させるためのファンのような空気送出手段を組み合わせることが望ましい。そして、空気中の二酸化炭素濃度を測定する二酸化炭素測定手段を有することで、本装置の作動を制御することができる。
【実施例】
【００３０】
（試験１）
・製造：コルゲート加工した紙からなるフィルター部（２６０ｍｍ×２１０ｍｍ、厚み５ｍｍ；各流路の大きさ１．５ｍｍ×２．０ｍｍ；流路の数は約２３．２５セル／ｃｍ２（１５０セル／インチ２））に対して、所定量の光合成菌及び種々の種類及び量の化合物を担持させた空気浄化装置を制作した。
【００３１】
光合成菌としてはヘリオス社製、製品名：ＥＰＭ−１を採用した。ＥＰＭ−１は、好気性光合成菌と嫌気性光合成菌との混合体を糖蜜培養液に懸濁させたものであり、１０万個／ｃｍ３以上の菌数濃度を示す。光合成菌としては紅色非硫黄細菌を主に含む。
【００３２】
そして、ミネラル成分としては水酸化マグネシウム又は酸化鉄を採用した。それぞれについて平均粒径が４４μｍ以下になるように調製した後、トルエン中に３時間浸漬し、脱脂処理を行った。そして、３０℃で真空乾燥を１２時間行った。これらのミネラル成分をフィルター部の表面積１ｍ２あたり、１０ｇ、２０ｇ、３０ｇの量だけ３段階に担持させて調製した。その後、光合成菌をフィルター部に担持させた。その担持方法は、前述のＥＰＭ−１原液中にフィルター部を浸漬することで行った。浸漬時間は約１時間程度とした。フィルター部を溶液から取り出した後、圧縮空気を吹き付けることで、余分な溶液を吹き飛ばした後、自然乾燥させた。得られた各フィルター部をファンに組み付けることで、各実施例の空気浄化装置を作成した。そして、何も担持させていないフィルター部もそのまま採用し、比較例１の空気浄化装置とした。
【００３３】
光照射手段としては波長３５０〜３６０ｎｍのＬＥＤを用い、フィルター部の厚み方向からフィルター部の表面に光が照射されるように配置した。
【００３４】
・試験：二酸化炭素濃度が４０００ｐｐｍ、残部が空気である内部の雰囲気をもつ一辺が５００ｍｍである立方体の箱中にて、それぞれの実施例及び比較例の空気浄化装置を用いて、二酸化炭素の除去効果を調べた。
【００３５】
それぞれの空気浄化装置に毎分０．５ｍ３の空気が通過して内部循環するようにファンを作動させ、経時的に二酸化炭素濃度を測定した。この測定の間、継続的に光照射手段により光を照射し続けた。結果を表１及び図１に示す。
【００３６】
【表１】
0005242890.tif 000002
【００３７】
表１及び図１より明らかなように、光合成菌及びミネラル成分を担持した空気浄化装置では比較例及び空運転時と比べて高い除去率を示した。また、ミネラル成分の増加に従い、除去率も高くなった。つまり、少なくとも、ここに示したミネラル成分の濃度範囲においてはミネラル成分が二酸化炭素を除去する能力を増大させる方向に大きく関係することが明らかになった。
【００３８】
そして、ミネラル成分としてマグネシウム化合物を用いた場合が鉄化合物を用いた場合よりも高い除去率を示した。なお、比較例と空運転時とで除去率に大差がないことから、紙製のフィルター単独では二酸化炭素を除去する能力はほとんど発揮されていないことが明らかになった。つまり、担持された光合成菌及びミネラル成分の組み合わせにより二酸化炭素を除去する能力を発揮していることが明らかになった。
【００３９】
（試験２）
酸化マグネシウムの担持量をフィルターの表面積１ｍ２当たり３０ｇ、酸化鉄の担持量をフィルターの表面積１ｍ２当たり３０ｇとした以外は試験１と同様の方法にて空気浄化装置を調製した。それぞれの空気浄化装置について、空気の通過量を０．０４ｍ３、０．１ｍ３及び０．５ｍ３とした以外、試験１と同様の試験を行った。結果を表２及び図２に示す。
【００４０】
【表２】
0005242890.tif 000003
【００４１】
表２及び図２から明らかなように、今回試験を行った範囲では空気を通過させる速度を低下させることで高い二酸化炭素除去効果を発揮した。また、酸化マグネシウムを担持させた場合が酸化鉄を担持させた場合よりも二酸化炭素除去効果が高い傾向については試験1と同様であった。
【００４２】
（試験３）
・製造：コルゲート加工した紙からなるフィルター部（３００ｍｍ×３００ｍｍ、厚み５ｍｍ；各流路の大きさ１．５ｍｍ×２．０ｍｍ；流路の数は約２３．２５セル／ｃｍ２（１５０セル／インチ２））に対して、所定量の光合成菌及び種々の種類及び量の化合物を担持させた空気浄化装置を制作した。
【００４３】
光合成菌としてはヘリオス社製、製品名：ＥＰＭ−１を採用した。ＥＰＭ−１は、好気性光合成菌と嫌気性光合成菌との混合体を糖蜜培養液に懸濁させたものであり、１０万個／ｃｍ３以上の菌数濃度を示す。光合成菌としては紅色非硫黄細菌を主に含む。
【００４４】
そして、ミネラル成分としては水酸化マグネシウム又は酸化鉄を採用した。それぞれについて平均粒径が４４μｍ以下になるように調製した後、トルエン中に３時間浸漬し、脱脂処理を行った。そして、３０℃で真空乾燥を１２時間行った。これらのミネラル成分をフィルター部の表面積１ｍ２あたり、それぞれ３０ｇの量を担持させた（水酸化Ｍｇ：実施例１３、酸化鉄：実施例１４）。その後、光合成菌をフィルター部に担持させた。その担持方法は、前述のＥＰＭ−１原液中にフィルター部を浸漬することで行った。浸漬時間は約１時間程度とした。フィルター部を溶液から取り出した後、圧縮空気を吹き付けることで、余分な溶液を吹き飛ばした後、自然乾燥させた。得られた各フィルター部をファンに組み付けることで、各実施例の空気浄化装置を作成した。そして、何も担持させていないフィルター部もそのまま採用し、比較例５の空気浄化装置とした。
【００４５】
光照射手段としては波長３５０〜３６０ｎｍのＬＥＤを２４個用い、フィルター部の厚み方向へ１５ｃｍの距離でフィルター部の表面に光が照射されるように配置した。
【００４６】
・試験：硫化水素濃度が５０ｐｐｍ、残部が空気である内部の雰囲気をもつ一辺が５００ｍｍである立方体の箱中にて、それぞれの実施例及び比較例の空気浄化装置を用いて、硫化水素の除去効果を調べた。
【００４７】
それぞれの空気浄化装置に毎分０．０４ｍ３の空気が通過して内部循環するようにファンを作動させ、経時的に硫化水素濃度を測定した。この測定の間、継続的に光照射手段により光を照射し続けた。結果を表３及び図３に示す。
【００４８】
【表３】
0005242890.tif 000004
【００４９】
表３及び図３より明らかなように、光合成菌及びミネラル成分を担持した空気浄化装置では比較例及び空運転時と比べて高い除去率を示した。
【００５０】
そして、ミネラル成分として鉄化合物を用いた場合がマグネシウム化合物を用いた場合よりも高い除去率を示した。なお、比較例では空運転時よりも僅かに除去率が高いものの大差がないことから、紙製のフィルター単独では硫化水素を除去する能力はほとんど発揮されていないことが明らかになった。つまり、担持された光合成菌及びミネラル成分の組み合わせにより硫化水素を除去する能力を発揮していることが明らかになった。
【００５１】
（試験４）
試験３で用いた実施例１３及び１４並びに比較例５の空気浄化装置についてメチルメルカプタン（ＣＨ３ＳＨ）の浄化能を検討した。
【００５２】
・試験：メチルメルカプタン濃度が５ｐｐｍ、残部が空気である内部の雰囲気をもつ一辺が５００ｍｍである立方体の箱中にて、それぞれの実施例及び比較例の空気浄化装置を用いて、メチルメルカプタンの除去効果を試験３と同様の方法で調べた。結果を表４及び図４に示す。
【００５３】
【表４】
0005242890.tif 000005
【００５４】
表４及び図４より明らかなように、光合成菌及びミネラル成分を担持した空気浄化装置では比較例及び空運転時と比べて高い除去率を示した。
【００５５】
そして、硫化水素と同様にミネラル成分として鉄化合物を用いた場合が、マグネシウム化合物を用いた場合よりも高い除去率を示した。なお、比較例では空運転時よりも僅かに除去率が高いものの大差がないことから、紙製のフィルター単独ではメチルメルカプタンを除去する能力はほとんど発揮されていないことが明らかになった。つまり、担持された光合成菌及びミネラル成分の組み合わせによりメチルメルカプタンを除去する能力を発揮していることが明らかになった。
【００５６】
（試験５）
・製造：コルゲート加工した紙からなるフィルター部（３００ｍｍ×３００ｍｍ、厚み５ｍｍ；各流路の大きさ１．５ｍｍ×２．０ｍｍ；流路の数は約２３．２５セル／ｃｍ２（１５０セル／インチ２））に対して、所定量の光合成菌及び種々の種類及び量の化合物を担持させた空気浄化装置を制作した。
【００５７】
光合成菌としてはヘリオス社製、製品名：ＥＰＭ−１を採用した。ＥＰＭ−１は、好気性光合成菌と嫌気性光合成菌との混合体を糖蜜培養液に懸濁させたものであり、１０万個／ｃｍ３以上の菌数濃度を示す。光合成菌としては紅色非硫黄細菌を主に含む。
【００５８】
そして、ミネラル成分としては水酸化マグネシウム又は酸化鉄を採用した。それぞれについて平均粒径が４４μｍ以下になるように調製した後、トルエン中に３時間浸漬し、脱脂処理を行った。そして、３０℃で真空乾燥を１２時間行った。これらのミネラル成分をフィルター部の表面積１ｍ２あたり、３０ｇの量を担持させて調製した。その後、光合成菌をフィルター部に担持させた。その担持方法は、前述のＥＰＭ−１原液中にフィルター部を浸漬することで行った。浸漬時間は約１時間程度とした。フィルター部を溶液から取り出した後、圧縮空気を吹き付けることで、余分な溶液を吹き飛ばした後、自然乾燥させた。得られた各フィルター部をファンに組み付けることで、各実施例１５（Ｍｇ担持）及び１６（Ｆｅ担持）の空気浄化装置を作成した。そして、何も担持させていないフィルター部もそのまま採用し、比較例６の空気浄化装置とした。
【００５９】
光照射手段としては波長６５０ｎｍのＬＥＤ（棒状発光体（ＬＥＤが１２個）を２本）を用い、フィルター部の厚み方向から１５ｃｍの距離からフィルター部の表面に光が照射されるように配置した。
【００６０】
・試験：ＮＯ２濃度が３ｐｐｍ、残部が空気である内部の雰囲気をもつ一辺が５００ｍｍである立方体の箱中にて、それぞれの実施例及び比較例の空気浄化装置を用いて、ＮＯ２の除去効果を調べた。
【００６１】
それぞれの空気浄化装置に毎分０．０４ｍ３の空気が通過して内部循環するようにファンを作動させ、経時的にＮＯ２濃度を測定した。この測定の間、継続的に光照射手段により光を照射し続けた。結果を表５及び図５に示す。
【００６２】
【表５】
0005242890.tif 000006
【００６３】
表５及び図５より明らかなように、光合成菌及びミネラル成分を担持した空気浄化装置では比較例及び空運転時と比べて高い除去率を示した。
【００６４】
そして、硫化水素及びメチルメルカプタンと同様にミネラル成分として鉄化合物を用いた場合が、マグネシウム化合物を用いた場合よりも高い除去率を示した。なお、比較例では空運転時と大差がないことから、紙製のフィルター単独ではＮＯ２を除去する能力はほとんど発揮されていないことが明らかになった。つまり、担持された光合成菌及びミネラル成分の組み合わせによりＮＯ２を除去する能力を発揮していることが明らかになった。
【図面の簡単な説明】
【００６５】
【図１】実施例における二酸化炭素除去率の時間依存性を示した図である。
【図２】実施例における二酸化炭素除去率の時間依存性を示した図である。
【図３】実施例における硫化水素除去率の時間依存性を示した図である。
【図４】実施例におけるメチルメルカプタン除去率の時間依存性を示した図である。
【図５】実施例における二酸化窒素除去率の時間依存性を示した図である。
【図１】
0005242890.tif 000007
【図２】
0005242890.tif 000008
【図３】
0005242890.tif 000009
【図４】
0005242890.tif 000010
【図５】
0005242890.tif 000011